(57)【特許請求の範囲】
【請求項１】
空気循環ユニットであって、温度制御された空気をベッドカバー下の空間に導入するための手段と、ベッドカバー下に空気を導入するための空間を提供しまたは拡大するようにベッドカバーを吊下げる手段とを備え、
前記吊下げる手段は、前記ユニットの直立本体部上部からベッド上方で伸縮式に水平に延びる支持部と、前記支持部から横方向に伸びる回転可能な複数のアーム部と、前記ア−ム部に連結され、前記ベッドカバーを保持するための複数の高さ調整コードもしくはそれ以外の長形柔軟体とを備えることを特徴とする空気循環ユニット。
【請求項２】
空気循環ファンが、直立本体部に設置されていることを特徴とする請求項１記載の空気循環ユニット。
【請求項３】
複数の高さ調整コードまたは長形柔軟体の下方端部にはベッドカバーへの固定手段が提供されていることを特徴とする請求項１または２記載の空気循環ユニット。
【請求項４】
固定手段はベッドカバーを把持するクリップを含んでいることを特徴とする請求項３記載の空気循環ユニット。
【請求項５】
それぞれの固定手段は所定量より大きい張力を受けると解放するように提供されていることを特徴とする請求項３または４記載の空気循環ユニット。
【請求項６】
吊下げ手段は直立本体部の垂直調整部に取り付けられていることを特徴とする請求項１から５のいずれかに記載の空気循環ユニット。
【請求項７】
垂直調整部は遠隔制御によって調整可能であることを特徴とする請求項６記載の空気循環ユニット。
【請求項８】
脚構造部が直立本体部の基部から延び出るように設けられていることを特徴とする請求項１から７のいずれかに記載の空気循環ユニット。
【請求項９】
少なくとも、供給する空気を冷却するための冷却手段か、供給する空気を加温するための加熱手段かのいずれかを含んでいることを特徴とする請求項１から８のいずれかに記載の空気循環ユニット。
【請求項１０】
ベッド下空間の空気温度が過度に低くなること、または高くなることがないようにするためのサーモスタット機能を含んでいることを特徴とする請求項１から９のいずれかに記載の空気循環ユニット。
【発明の詳細な説明】
【技術分野】
【０００１】
本発明はベッド用の空気循環ユニットに関し、特にベッド使用者を冷却するようベッドのベッドカバー下の空気を循環させると同時にカバーを就寝者の上方で所望の位置に吊下げるためのユニットに関する。
【背景技術】
【０００２】
夜間の気温が高い国や不快な程低い国では快適に眠れないことがある。
【発明の開示】
【発明が解決しようとする課題】
【０００３】
本発明は、この問題を緩和するためのユニットを提供することを目的とする。
【課題を解決するための手段】
【０００４】
本発明によれば、温度制御された空気をベッドカバー下の空間に導入するための手段を含む空気循環ユニットが提供され、ベッド使用時にはその手段からベッドカバーが上方に吊下げられる。
【０００５】
このユニットを使用する場合には、ベッドカバーは吊下げ機構によって部分的に持ち上げられ、空気を導入するようベッドカバー下の空間を提供するか又は拡大させる。この空気導入はベッド使用者の上方のベッドカバー下方の空気循環を促進させ、ベッド使用者を暖めるか冷却する。
【０００６】
好適には、ユニットは空気循環ファンが取り付けられる直立本体部を含んでおり、好適には使用時にこの直立本体部はベッドの脚部に提供される。
【０００７】
好適には、吊下げ構造はユニットの直立本体部上部からベッド上方で水平に延びている。好適には、吊下げ構造は長形支持部を含んでおり、これはベッドの縦方向に延びるように好適には伸縮自在である。好適には数本のアーム部が長形支持部から横方向に延びている。好適には数本の高さ調整コードまたは他の長形柔軟体がアーム部から、及びオプションとして長形支持部から吊下げられ、下方端部にベッドカバーへの固定手段が提供されている。
【０００８】
好適には固定手段はベッドカバーを把持するクリップを含み、好適にはこれらの固定手段は所定の量より大きい張力を受けると解放するように提供されており、ベッド使用者がベッドカバーを強力に引いた場合に固定手段が解放するようになっている。好適には吊下げ構造は、好適には遠隔制御によって調整可能である直立本体部の垂直調整部に取り付けられている。好適には脚構造部は直立本体部の基部から延び出ており、ベッド下を延びてユニットを安定させている。
【０００９】
本ユニットは供給する空気を冷却するための冷却手段及び／または供給する空気を加温するための加熱手段を含むことができる。好適にはユニットは冷気、暖気あるいは室温空気がユニットから供給されるよう、好適には遠隔制御パッド（選択手段）でユーザに選択させる。ユニットは空気冷却手段または加熱手段を含んでおり、好適にはベッド下空間の空気温度が過度に低くなること、または高くなることがないようにするためのサーモスタット機能を含んでいる。
【発明を実施するための最良の形態】
【００１０】
本発明の１実施態様を添付図面を用いて説明する。図１は本発明の空気循環ユニットが提供されたベッドを示す側面図である。図２はベッド後方から見たベッドと空気循環ユニットを示す図である。図３はベッド斜め後方から見たベッドと空気循環ユニットを示す図である。図４はベッド斜め前方から見たベッドと空気循環ユニットを示す図である。図５はベッドと空気循環ユニットを示す平面図である。
【００１１】
ベッドカバーＣを有したベッドＢ及びベッドカバーＣ下方の空間にベッド後方端から空気を導入するための空気循環ユニットを図示している。
【００１２】
空気循環ユニットはベッドＢ後方に提供された直立した管状の収容体１０を含んでおり、収容体１０の基部から分岐してベッドＢ下方で延びている一対の伸縮自在な長形脚部１２を有している。収容体１０は空気循環ファン（図示せず）を含み、これは収容体の両側に形成された収容体基部に隣接する吸込口１４を介して空気を吸引し、収容体１０から突き出てベッドカバーＣ下部の空間に延びている柔軟な供給パイプ１５を介して空気を排出する。供給パイプは空気を広範に分散させる形状の出口ノズル（図示せず）を有する。
【００１３】
空気循環ユニットは、ベッドＢ使用者がベッドカバーの全重量から部分的に解放されるようにベッドカバーＣを吊下げる構造体をさらに含んでいる。この構造体は収容体１０の伸縮自在上方部１６と、３部分から成る長形伸縮自在支持部１８とを含んでおり、伸縮自在支持部１８は収容体１０の上方部１６の上面から水平状に突き出てベッドＢの前方端部に向かって縦方向に延びており、伸縮自在支持部１８は収容体１０の上面に提供された螺子キャップによって堅固に螺合されている。
【００１４】
一対のアーム部２０は支持部１８の内側端部及び中間端部から両側に水平に突き出ており、それぞれの垂直軸周囲で回動するように内側アーム部に連結されたそれぞれの外側アーム部２１を有する。一対のアーム部２２は支持部１８の外側端部から水平に突き出てそれぞれの垂直軸周囲で回動するように支持部に連結されている。アーム部２２は、それぞれの垂直軸周囲で回動するように内側アーム部に連結されたそれぞれの外側部２３を有している。
【００１５】
支持部１８とアーム部２０から吊るされた数本の高さ調整式コード２４はそれらの下端にクリップ２６を有している。クリップ２６は間隔を開けてベッドカバーＣを把持する。コード２４はアーム部２０のスライダに取り付けられており、所望の位置へ横方向に動くことができる。
【００１６】
収容体１０の上方部１６を垂直方向に調整して支持部１６とアーム部２０を、好適には遠隔制御によって所望の高さに設定することができる。ベッド使用者が吊下げようとするベッドの長さまたは寸法によって、支持部１８を縦方向に伸縮式に調整することができる。アーム部２１，２２，２３を所望の位置へ回動させ、アーム部のコード２４から吊下げられたクリップ２６を所望の高さと位置でベッドカバーＣへ提供し、ベッド使用者が望む状態にベッドカバーを持ち上げることができる。
【００１７】
使用時にユニットはベッドカバーＣ下の空間へ空気を導入し、ベッド使用者上にて空気を循環させ、ベッド使用者の上方でカバーを吊下げさせる。収容体１０はユーザが冷気、暖気あるいは室温空気の循環を選択できるよう空気の冷却及び／または加熱手段を含むことができる。
【００１８】
横方向アーム２０は、使用者が動いてカバーからクリップ２６が外れないようにフレキシブルに設計されている。しかしながら個々のクリップ２６は、ベッドカバーＣに適用された力によってクリップ２６が取り付けられているコードに所定の力がかかった場合には外れるように設計されている。従って、ベッド使用者がカバーを力強く引っ張った場合には、ユニットがひっくり返らないように１個以上のクリップ２６が外れるようになっている。
【００１９】
伸縮自在な支持部１８はベッドカバーＣをベッド後方にユニットから吊るした状態で収納し、容易に再使用できるようにしておくことができる。
【００２０】
空気供給パイプ１５は排出口の高さを選択調整できるよう充分にフレキシブルであり、ユーザが望む場合には空気を広範囲な方向に排出できるように好適には凸状ノズルである。供給パイプはその上面にクリップを有しており、ベッドカバーを定位置に保持する。
【００２１】
ユニットを床上で容易に移動できるよう収容体１０とその脚部１２をキャスター１１上に提供することができる。ユニットを使用しない場合には脚部１２、支持部１８及びアーム部２０，２２を分解して収容体１０に提供されるポケット等１３に垂直に収納することができる。
【００２２】
ユニットは容易に保管できるように伸縮自在アーム部２０と伸縮自在長形脚部とを含んでいる。好適には伸縮自在支持部１８をユニット１０から外して中央支持体１０の後面に提供されたポケットに収納するか、収容体１０に取り付けられたところで回動手段によって垂直方向に片持ち収納させることができる。
【図面の簡単な説明】
【００２３】
【図１】本発明の空気循環ユニットが提供されたベッドを示す側面図である。
【図２】ベッド後方から見たベッドと空気循環ユニットを示す図である。
【図３】ベッド斜め後方から見たベッドと空気循環ユニットを示す図である。
【図４】ベッド斜め前方から見たベッドと空気循環ユニットを示す図である。
【図５】ベッドと空気循環ユニットを示す平面図である。
【図１】
0004959562.tif 000002
【図２】
0004959562.tif 000003
【図３】
0004959562.tif 000004
【図４】
0004959562.tif 000005
【図５】
0004959562.tif 000006